(57)【特許請求の範囲】
【請求項１】
縦方向及び横方向を有し、肌対向面及び非肌対向面と、前ウエスト域と、後ウエスト域と、前記前後ウエスト域間に位置するクロッチ域と、少なくとも前記クロッチ域において前記縦方向へ延びる吸液構造体を有するシャーシと、
前記後ウエスト域において前記シャーシの両側縁から前記横方向の外方へ延びる弾性ベルト片とを含む開放型の使い捨ておむつにおいて、
前記シャーシは、主体部と、前記クロッチ域において前記縦方向へ延びるレッグ弾性体が配設された、前記主体部の前記横方向の外方に位置する両側部と、前記両側部を内方へ折り曲げて形成された一対のサイド弾性部とを含み、
前記前後ウエスト域のうちの少なくとも前記後ウエスト域において、前記サイド弾性部の内側縁どうしを連結する、前記弾性ベルト片と連続又は別体の連結パネルが位置し、
前記サイド弾性部と前記連結パネルの外端部とが前記横方向へ延びる第１接合域を介して前記主体部に固定されており、前記連結パネルは前記縦方向に延びる第２接合域を介して前記サイド弾性部の前記内側縁の前記肌対向面に固定されており、前記連結パネルには、前記第１及び第２接合域よりも前記縦方向及び前記横方向において内側に位置する非接合域が画定されており、
前記弾性ベルト片は前記縦方向へ延びる第３接合域を介して前記サイド弾性部の外側縁の前記肌対向面に固定され、前記サイド弾性部には、前記第２及び第３接合域間に位置し、かつ、前記第１接合域よりも前記縦方向の内側に位置するサイド非接合域が画定されることを特徴とするおむつ。
【請求項２】
前記弾性ベルト片は、前記横方向に弾性的に伸縮可能な第１弾性部を有し、前記連結パネルは、前記横方向に弾性的に伸縮可能な第２弾性部を有する請求項１に記載のおむつ。
【請求項３】
前記第１弾性部の単位面積当たりの伸長応力は、前記第２弾性部の単位面積当たりの伸長応力よりも高い請求項２に記載のおむつ。
【請求項４】
前記弾性ベルト片は、前記肌対向面側に位置する第１シートと、前記非肌対向面側に位置する第２シートと、前記第１及び第２シート間に介在され、前記横方向へ延びる複数条のストランド状又はストリング状の第１ウエスト弾性体とを有し、
前記連結パネルは、内外面シートと、前記内外面シート間に介在され、前記横方向へ延びる複数条のストランド状又はストリング状の第２ウエスト弾性体とを有する請求項１〜３のいずれかに記載のおむつ。
【請求項５】
前記弾性ベルト片は、前記第１弾性部と、前記第１弾性部の前記横方向の外側に位置する非弾性のフラップ部とを有し、前記フラップ部の外端部の前記肌対向面には、前記前ウエスト域の外面に止着可能なファスニング要素が配置される請求項１〜４のいずれかに記載のおむつ。
【請求項６】
前記レッグ弾性体は、前記サイド弾性部の前記内側縁に沿って前記縦方向へ直状に延びる複数条のストランド状又はストリング状の第１レッグ弾性体と、前記第１レッグ弾性体の前記横方向の外側に位置する第２レッグ弾性体とを有し、前記第２レッグ弾性体は、直状部と、前記クロッチ域の前記後ウエスト域側において後方に向かうにつれて次第に前記横方向の外側に延びる曲状部とを有する請求項１〜５のいずれかに記載のおむつ。
【請求項７】
前記クロッチ域において、前記サイド弾性部の一部が前記主体部に接合される請求項１〜６のいずれかに記載のおむつ。
【請求項８】
前記吸液構造体は、透液性の身体側ライナと吸液層とを有し、前記身体側ライナと前記吸液層との間には、少なくとも前記吸液層の中央部において前記縦方向へ延びる複数条の弾性体が配設される請求項１〜７のいずれかに記載のおむつ。
【請求項９】
前記吸液構造体は、透液性の身体側ライナと吸液層とを有し、前記吸液層は、透液性の上面シートと、不透液性の下面シートと、前記上下面シート間に介在された吸収性ポリマー粒子と、前記上面シートと前記下面シートとが互いに接合された非吸液域と、前記非吸液域に囲まれた、前記吸収性ポリマー粒子が被包された吸液域とを含む請求項１〜７のいずれかに記載のおむつ。
【発明の詳細な説明】
【技術分野】
【０００１】
本発明は、使い捨ておむつ、特に、開放型の使い捨ておむつに関する。
【背景技術】
【０００２】
従来、前後ウエスト域の少なくとも一方において、排泄物を収容するためのスペースを有する使い捨て着用物品は公知である。例えば、特許文献１には、吸液構造体と、クロッチ域の両側部に位置するバリアカフと、前後ウエスト域においてバリアカフ間に吸液構造体を跨ぐように取り付けられた連結パネルとを含む開放型の使い捨ておむつが開示されている。
【先行技術文献】
【特許文献】
【０００３】
【特許文献１】特開平７−１８４９４７号公報
【発明の概要】
【発明が解決しようとする課題】
【０００４】
特許文献１に開示の開放型の使い捨ておむつによれば、バリアカフによって排泄物の横漏れを防止することができるとともに、連結パネルと吸液構造体との間に画定されたスペースによって、前後ウエスト域に移動する排泄物を収容することができる。
【０００５】
しかし、かかるおむつでは、おむつの両側縁から内側にバリアカフの基端縁が位置し、クロッチ域において、その横方向の寸法よりもバリアカフ間の横方向における離間寸法が小さく、多量の排泄物が排泄された場合には、バリアカフを超えて排泄物が漏れ出るおそれがある。また、連結パネルは、バリアカフの自由縁部に取り付けられているので、排泄物を収容するためのスペースが比較的に小さく、比較的に多量の排泄物を収容、保持することはできない。
【０００６】
そこで、本発明の課題は、従来の技術の改良であって、前後ウエスト域のうち少なくとも後ウエスト域及びクロッチ域において比較的に多量の排泄物を収容保持することのできる収容スペースを有する開放型の使い捨ておむつの提供にある。
【課題を解決するための手段】
【０００７】
前記課題を解決するために、本発明は、縦方向及び横方向を有し、肌対向面及び非肌対向面と、前ウエスト域と、後ウエスト域と、前後ウエスト域間に位置するクロッチ域と、少なくとも前記クロッチ域において前記縦方向へ延びる、吸液構造体を有するシャーシと、前記後ウエスト域において前記シャーシの両側縁から前記横方向の外方へ延びる弾性ベルト片とを含む開放型の使い捨ておむつを対象とする。
【０００８】
本発明は、前記シャーシは、主体部と、前記クロッチ域において前記縦方向へ延びるレッグ弾性体が配設された、前記主体部の前記横方向の外方に位置する両側部と、前記両側部を内方へ折り曲げて形成された一対のサイド弾性部とを含み、前記前後ウエスト域のうちの少なくとも前記後ウエスト域において、前記サイド弾性部の内側縁どうしを連結する、前記弾性ベルト片と連続又は別体の連結パネルが位置し、前記サイド弾性部と前記連結パネルの外端部とが前記横方向へ延びる第１接合域を介して前記主体部に固定されており、前記連結パネルは前記縦方向に延びる第２接合域を介して前記サイド弾性部の前記内側縁の前記肌対向面に固定されており、前記連結パネルには、前記第１及び第２接合域よりも前記縦方向及び前記横方向において内側に位置する非接合域が画定されており、前記弾性ベルト片は前記縦方向へ延びる第３接合域を介して前記サイド弾性部の外側縁の前記肌対向面に固定され、前記サイド弾性部には、前記第２及び第３接合域間に位置し、かつ、前記第１接合域よりも前記縦方向の内側に位置するサイド非接合域が画定されることを特徴とする。
【発明の効果】
【０００９】
本発明に係る開放型の使い捨ておむつによれば、シャーシが両側部を折り曲げて形成されたサイド弾性部を有し、後ウエスト域のサイド弾性部の内側縁に連結パネル、外側縁に弾性ベルト片がそれぞれ連結されることによって、着用時においてサイド弾性部がシャーシの主体部から離間し、後ウエスト域及びクロッチ域において比較的に大きな排泄物収容スペースが形成される。
【図面の簡単な説明】
【００１０】
【図１】本発明の第１実施形態における開放型使い捨ておむつの斜視図。
【図２】おむつのメカニカルファスナの係合を解除して前後方向に伸展した状態をその内面から見た展開平面図。
【図３】おむつの分解斜視図。
【図４】吸液構造体を取り除き、シャーシと各接合域のみを実線で示す、おむつの展開平面図。
【図５】図２のＶ−Ｖ線に沿う模式的断面図。
【図６】図２のＶＩ−ＶＩ線に沿う模式的断面図。
【図７】図２のＶＩＩ−ＶＩＩ線に沿う模式的断面図。
【図８】図１のＶＩＩＩ−ＶＩＩＩ線に沿う模式的縦断面図。
【図９】第２実施形態における図２と同様の展開平面図。
【図１０】第３実施形態における図２と同様の展開平面図。
【図１１】第３実施形態における吸液構造体の一部破断展開平面図。
【発明を実施するための形態】
【００１１】
＜第１実施形態＞
図１〜図４を参照すると、本実施形態に係る開放型の使い捨ておむつ１０は、縦方向Ｙとそれに直交する横方向Ｘと、縦軸Ｐ及び横軸Ｑとを有する。おむつ１０は、肌対向面及び非肌対向面と、前ウエスト域１１と、後ウエスト域１２と、前後ウエスト域１１，１２間を縦方向Ｙへ延びるクロッチ域１３とを有するシャーシ１４と、少なくともクロッチ域１３の肌対向面に取り付けられた吸液構造体１５と、シャーシ１４の後ウエスト域１２における両側縁部から横方向Ｘの外側へ延出する第１及び第２弾性ベルト片１６，１７とを含む。
【００１２】
シャーシ１４は、縦長の略矩形状であって、カバーシート１８と、前ウエスト域１１に位置する前端部１９と、後ウエスト域１２に位置する後端部２０と、クロッチ域１３に位置する中間部２１とを有する。カバーシート１８は、不透液性の繊維不織布シート、プラスチックフィルム又はそれらのラミネートシートから形成された内外面シート２２，２３を有する。内外面シート２２，２３は、両シート２２，２３のうちのいずれか一方のシートの内面に塗布されたホットメルト接着剤（図示せず）を介して互いに接合される。カバーシート１８の両側部は、内方へ折り曲げられて、クロッチ域１３において縦方向Ｙへ延びる一対のサイド弾性部２５が形成される。サイド弾性部２５は、内側縁２５ａと、カバーシート１８の折曲部位からなる外側縁２５ｂとを有する。
【００１３】
各サイド弾性部２５には、縦方向Ｙへ延びる複数条のストランド状又はストリング状の第１及び第２レッグ弾性体２６，２７が配設されており、少なくとも縦方向Ｙにおいて弾性化されている。第１レッグ弾性体２６はサイド弾性部２５の内側縁２５ａに沿って縦方向Ｙへ直状に延びる。第２レッグ弾性体２７は、第１レッグ弾性体２６の横方向Ｘの外側に位置し、横軸Ｑから前ウエスト域１１側へ延びる直状部２９と、横軸Ｑから後ウエスト域１２側へ延びる曲状部３０とを有する。曲状部３０は、後方に向かうにつれて次第に横方向Ｘの外側に延びる。第１及び第２レッグ弾性体２６，２７は、内外面シート２２，２３のうちのいずれか一方の内面に塗布されたホットメルト接着剤（図示せず）を介して両シート２２，２３間に縦方向Ｙに伸縮可能な状態で固定される。
【００１４】
各弾性ベルト片１６，１７は、縦方向Ｙにおいて離間対向する両端縁３２，３３と、横方向Ｘにおいて離間対向する内外側縁３４，３５とを有する。内側縁３４は縦方向Ｙへ延びる直状を有し、外側縁３５は横方向の外方へ向かって凸となる形状を有する。各弾性ベルト片１６，１７の内側縁３４は、後記のとおり、サイド弾性部３５の外側縁２５ｂに沿って縦方向Ｙへ延びる第３接合域８３を介してシャーシ１４に接合される。各弾性ベルト片１６，１７は、横方向Ｘに伸縮可能な第１弾性部４０と、第１弾性部４０から横方向Ｘの外側に位置するフラップ部４１とをさらに有する。
【００１５】
第１弾性部４０は、繊維不織布又はプラスチックシートから形成された、肌対向面側に位置する第１シート４２と、非肌対向面側に位置する第２シート４３と、横方向Ｘへ延びる複数条のストランド状又はストリング状の第１ウエスト弾性体４４とを有する。第１ウエスト弾性体４４は、横方向Ｘに伸縮可能な状態で第１及び第２シート４２,４３間にホットメルト接着剤を介して固定される。フラップ部４１は、略台形状の補強シート４５から形成される。補強シート４５は、例えば、繊維不織布又はプラスチックシートから形成された２枚のシートから形成される。両シートは、それぞれ、第１シート４２と第２シート４３とに接着又は溶着によって接合されており、第１弾性部４０の外側部が補強シート４５間に介在された状態で固定される。
【００１６】
補強シート４５の外側部の肌対向面には、プラスチックフィルム、繊維不織布、それらのラミネートやクラフト紙等の比較的に剛性及び引張強度の高いシート材料から形成され、メカニカルファスナのフック群を有する第１ファスニング要素４７が配置される。図１を参照すると、前ウエスト域１１の外面全体には、プラスチックフィルム、繊維不織布、それらのラミネートやクラフト紙等の比較的に剛性及び引張強度の高いシート材料から形成され、メカニカルファスナのループ群を有する第２ファスニング要素４８が配置される。第１ファスニング要素４７を第２ファスニング要素４８に係脱可能に止着することによって、ウエスト開口４９と一対のレッグ開口とが画定される。
【００１７】
第２ファスニング要素４８は、前ウエスト域１１の外面全体に配置されているので、第１ファスニング要素４７のターゲット範囲が広く、サイズ調整が容易である。また、通常、開放型おむつの場合には着用者を仰寝させた状態で着用させるところ、第２ファスニング要素４８は比較的に剛性の高いシート材料から形成されているので、着用者が直立した状態であっても、着用補助者が一方の手で前ウエスト域１１を着用者の腹部全体に押し当てた状態のまま他方の手で第１ファスニング要素４７を第２ファスニング要素４８に止着することによって、比較的容易に着用操作を行うことができる。
【００１８】
前後ウエスト域１１，１２のサイド弾性部２５間において、連結パネル５１，５２が吸液構造体１５を跨ぐように内側縁２５ａ近傍に取り付けられる。連結パネル５１，５２は、質量約５〜１５ｇ／ｍ２の不透液性のＳＭＳ（スパンボンド・メルトブローン・スパンボンド）繊維不織布若しくはスパンボンド不織布から形成された内面シート５３と、透湿性プラスチックシートから形成された外面シート５４とを有する。
【００１９】
後ウエスト域１２に位置する連結パネル５２は、さらに、内外面シート５３，５４間に介在された複数条のストランド状又はストリング状の第２ウエスト弾性体５５を有する。第２ウエスト弾性体５５は、内外面シート５３，５４間にホットメルト接着剤を介して伸縮可能な状態で固定される。連結パネル５２は、第２ウエスト弾性体５５の配置された領域において、少なくとも横方向Ｘにおいて弾性化された第２弾性部５６を有する。
【００２０】
第１及び第２レッグ弾性体２６，２７は、太さ４７０〜９４０ｄｔｅｘ、伸長倍率約２．０〜２．８倍、第１ウエスト弾性体４４は、太さ約４７０〜９４０ｄｔｅｘ、伸長倍率約２．５〜３．０倍、第２ウエスト弾性体５５は、太さ約４７０〜９４０ｄｔｅｘ、伸長倍率約２．０〜２．５倍のストランド状又はストリング状の弾性材料からそれぞれ形成することができる。おむつ１０が縦方向Ｙ及び横方向Ｘに伸展された状態において、第１ウエスト弾性体４４の横方向Ｘの寸法、すなわち、第１弾性部４０の横方向Ｘの寸法は、第２ウエスト弾性体５５の横方向Ｘの寸法、すなわち、第２弾性部５６の横方向Ｘの寸法よりも大きくなっている。具体的には、前者が約１９０〜２３０ｍｍ、後者が約１２０〜１６０ｍｍである。このように、第１弾性部４０の横方向Ｘの寸法が第２弾性部５６の横方向Ｘの寸法よりも大きいことによって、着用者のウエスト周りに対するフィット性が向上し、着用時におけるクロッチ域の位置ずれを防止することができる。また、第１弾性部４０における単位面積当たりの伸長力（以下、「伸長応力」とする）は、第２弾性部５６の単位面積当たりの伸長応力よりも高いことが好ましい。具体的には、縦方向Ｙの寸法が２５ｍｍのシートを切り取った場合において、第１弾性部４０の最大伸長時の８０％における伸長応力が約１．３Ｎであり、第２弾性部５６の最大伸長時の８０％における伸長応力が約１．０Ｎである。このように、第２弾性部５６の伸長応力が第１弾性部４０の伸長応力よりも低いことによって、おむつ１０の着用時に第１及び第２弾性部４０，５６が着用者のウエスト周りに伸長されたきに、第２弾性部５６が第１弾性部４０よりもより大きく伸長され、連結パネル５２を着用者のウエストに安定的にフィットさせることができる。
【００２１】
＜各弾性部の伸長応力の測定方法＞
おむつ１０から弾性ベルト片１６，１７のいずれか及び連結シート５１，５２のいずれかを取り出して、幅寸法約２５ｍｍ、長さ寸法約１６０ｍｍの大きさに切り取ってそれぞれのサンプルとする。サンプルの両端部に幅寸法約３０ｍｍのシート片を取り付け、引張試験機（島津製作所製）のチャック間（初期のチャック間距離は３０ｍｍとし、サンプルに合わせ適宜調整する）に収縮状態で固定して、引張速度２００ｍｍ／ｍｉｎの条件で、サンプルを伸長させ、最大伸長時の８０％の長さにおける荷重（Ｎ）を測定し、測定値（Ｎ）÷領域幅（ｍｍ）の式により、各サンプルの伸長応力を算出する。かかる測定を３回行い、平均の値をそれぞれ、第１弾性部４０、第２弾性部５６の伸長応力とする。
【００２２】
後ウエスト域１２は、第１及び第２弾性部４０，５６が横方向Ｘへ伸縮するので、前後ウエスト域１１，１２が連結された状態において着用者の腰部に安定的にフィットする。また、弾性ベルト片１６，１７と連結パネル５２とは、一連に横方向Ｘへ延びる弾性複合シートから形成されていてもよい。ただし、本実施形態のように、連結パネル５２と弾性ベルト片１６，１７とが別体から成り、後ウエスト域１２において第１弾性部４０と第２弾性部５６とが離間している態様では、第１レッグ弾性体２６が弾性ベルト片１６，１７の伸縮力によって横方向Ｘの外側に引っ張られ、おむつ１０の着用状態において着用者の大腿部から離間するおそれはない。また、連結パネル５２と弾性ベルト片１６，１７とが別体から構成されている場合には、第１ウエスト弾性体４４と第２ウエスト弾性体５５との離間寸法等を変えることができ、第１ウエスト弾性体４４の収縮力によって後ウエスト域１２からの体液の漏れを防止する一方、弾性ベルト片１６，１７において一定の通気性を保持しつつ第２ウエスト弾性体５５の収縮力によって着用者の身体への適度なフィット性を実現することができる。また、第２レッグ弾性体２７は後ウエスト域１２側において横方向Ｘの外側へ曲状に延びる曲状部３０を有し、第１レッグ弾性体２６と第２レッグ弾性体２７との間には離間部位が形成されるので、弾性ベルト片１６，１７と連結パネル５２との間に位置する離間部位と相俟って、第１レッグ弾性体２６に対する第１弾性部４０による伸縮作用の影響をさらに抑えることができる。
【００２３】
吸液構造体１５は、ホットメルト接着剤を介してカバーシート１８の主体部５９の肌対向面に固定されており、吸液層６０と、透液性シートから形成された吸液層の少なくとも肌対向面側を被覆する身体側ライナ６１と、吸液層６０の非肌対向面側を被覆する不透液性シートから形成された防漏シート６２とを有する。身体側ライナ６１と吸液層６０との間には、横方向Ｘにおいて互いに離間し、かつ、縦方向へ延びるストリング状又はストランド状の複数条の弾性体６３が伸縮可能な状態で配置される。図示していないが、弾性体６３が収縮することによって、吸液構造体１５には横方向Ｘへ延びる複数の襞が形成される。吸液構造体１５に弾性体６３が配置されていることによって、おむつ１０全体が縦方向Ｙに伸張され易くなり、ウエスト回りの比較的に大きな着用者の場合であっても、仰寝状態から第１ファスニング要素４７と第２ファスニング要素４８とを容易に連結することができる。
【００２４】
吸液層６０は、不水溶性かつ自己質量の１０倍以上の吸水力を有するいわゆる高吸収性ポリマー粒子（ＳＡＰ）、木材フラッフパルプ、オプションとして熱可塑性繊維を僅かに含む混合物から形成された吸収性コアを親水性ＳＭＳ不織布などの透液性シートで被包することによって形成される。
【００２５】
図４及び５を参照すると、前ウエスト域１１において、連結パネル５１は、吸液構造体１５が固定されたカバーシート１８の主体部５９の肌対向面において横方向に延びる第１接合域７１と、サイド弾性部２５の内側縁２５ａに沿って縦方向Ｙへ延びる第２接合域７２を介してシャーシ１４に固定される。サイド弾性部２５の前端部７４は、第１接合域７１を介してカバーシート１８の主体部５９に接合される。第１接合域７１の縦方向Ｙの寸法Ｌ１は、連結パネル５１の縦方向Ｙの寸法Ｌよりも小さく、連結パネル５１の第１接合域７１と第２接合域７２との縦方向Ｙ及び横方向Ｘとの内側に位置する領域には、中央非接合域７５が形成される。中央非接合域７５とカバーシート１８の主体部５９及び吸液構造体１５の前端部との間には、排泄物を収容するための前方スペース７６が画定される。
【００２６】
図４，６及び７を参照すると、後ウエスト域１２において、連結パネル５２は、カバーシート１８の主体部５９の肌対向面において横方向Ｘに延びる第１接合域８１と、サイド弾性部２５の内側縁２５ａに沿って縦方向Ｙへ延びる第２接合域８２とを介してシャーシ１４に固定される。サイド弾性部２５の後端部８４は、第１接合域８１を介してカバーシート１８の主体部５９に接合される。連結パネル５２の第１接合域８１と第２接合域８２との縦方向Ｙ及び横方向Ｘとの内側に位置する領域には、中央非接合域８５が形成される。非接合域８５とカバーシート１８の主体部５９及び吸液構造体１５の後端部との間には、排泄物を収容するための後方スペース８６が画定される。
【００２７】
後ウエスト域１２において、弾性ベルト片１６，１７は、サイド弾性部２５の外側縁２５ｂに沿って縦方向Ｙに延びる第３接合域８３を介してシャーシ１４に固定される。弾性ベルト片１６，１７がサイド弾性部２５の外側縁２５ｂに固定されるので、おむつ１０の着用状態において、サイド弾性部２５は弾性ベルト片１６，１７の伸長力によって横方向Ｘに引っ張られて内側縁２５ａが着用者の大腿部に当接し、後記の防漏壁８７を形成する。サイド弾性部２５には、第２及び第３接合域８２，８３間に位置し、かつ、第１接合域８１よりも縦方向Ｙの内側に位置するサイド非接合域９０が画定される。
【００２８】
図４を参照すると、連結パネル５１の縦方向Ｙの寸法Ｌ１（連結パネル５２の縦方向Ｙの寸法も同じ）は約１００〜２００ｍｍ、前ウエスト域１１における第１接合域７１の縦方向における寸法Ｌ２は約５０〜１５０ｍｍ、後ウエスト域１２における第１接合域８１の縦方向Ｙの寸法Ｌ３は約２０〜１２０ｍｍである。
【００２９】
図８を参照すると、サイド弾性部２５は、おむつ１０の着用状態において、吸液構造体１５から離間してその内側縁２５ａが着用者の大腿部に当接して防漏壁８７を形成し、シャーシ１４は袋状の形態を呈する。おむつ１０の着用中に排泄物が吸液構造体１５上に排泄された場合には、自重によって吸液構造体１５が着用者の臀部から離間し、着用者の臀部と吸液構造体１５との間に排泄物を保持するための、比較的に大容量の排泄物収容スペース８８が形成される。特に、前後ウエスト域１１，１２には前後方スペース７６，８６が形成され、かつ、後ウエスト域１２にはサイド非接合域９０が画定されるので、排泄物収容スペース８８が大きくなる。また、サイド弾性部２５の後端部８４の前方に位置するサイド弾性部２５の立ち上がり部位が弾性ベルト片１６，１７の内端縁３２よりも縦方向Ｙの外側に位置しているので、おむつ１０を着用したときに、サイド弾性部２５が弾性ベルト片１６，１７に巻き込まれるように起立し、比較的に大きな防漏壁８７が形成され、より多量の排泄物を収容することができる。また、多量の排泄物を収容、保持する場合には、吸液構造体１５が着用者の臀部から離間するので、臀部が排泄物によって汚れるのを抑制することができる。
【００３０】
＜第２実施形態＞
図９を参照すると、本実施形態においては、両サイド弾性部２５の横軸Ｑと交差する部位の内面に、接着又は溶着により両サイド弾性部２５をカバーシート１８の主体部５９に固定するための接合部８９が配置される。接合部８９が配置されることによって、両サイド弾性部２５はタックされてクロッチ域１３の中央部が幅狭となるので、中央部が他の部位に比べてより着用者の身体に密着し、体液の漏れを防止することができる。接合部８９の縦方向Ｙにおける寸法は、例えば、約１００〜４００ｍｍに設定することができる。
【００３１】
＜第３実施形態＞
図１０を参照すると、本実施形態においては、吸液構造体１５の吸液層６０は、主として高吸収性ポリマー粒子から形成された吸収性コアと、肌対向面側に位置する質量約８．０〜１５．０ｇ／ｍ２、好ましくは、質量約１０．０ｇ／ｍ２の透液性の繊維不織布から形成された第１シート（上面シート）９１と、非肌対向面側に位置する質量約８．０〜１５．０ｇ／ｍ２、好ましくは、１１．０ｇ／ｍ２の透水性または難透水性のＳＭＳ繊維不織布から形成された第２シート（下面シート）９２とを含む。
【００３２】
吸液層６０は、さらに、吸収性コアが配置された、縦方向Ｙへ所与寸法離間する略矩形状に画定された吸液域９３と、吸収性コアが実質的に配置されていない、吸液域を取り囲むように形成されたシール部９４とを有する。なお、本実施形態において、吸液域９３は、８つの区域に区分されているが、吸液構造体１５の要する吸収性能に応じてその面積、区域数を適宜変更することができ、例えば、８つ以上の区域に区分されていてもよいし、吸液構造体１５の全体に延びる１つの区域のみから形成されていてもよい。
【００３３】
吸液域９３では、第１シート９１の内面には、ホットメルト接着剤９６を介して質量約３０〜３００ｇ／ｍ２、好ましくは、質量約４０〜２８０ｇ／ｍ２の高吸収性ポリマー粒子９５がほぼ一様に固定されている。高吸収性ポリマー粒子９５には、吸液層６０全体の吸収速度を調整するために、例えば、吸収速度の異なる２種類のものを併用することができる。また、後記の本発明の効果を奏する限りにおいて、吸収性コアには、高吸収性ポリマー粒子９５のみならずフラッフパルプやオプションとして熱可塑性繊維などの公知の材料を比較的に低い混合率でその一部に含むものであってもよい。具体的には、フラッフパルプ等の吸水性繊維を混合する場合は、吸収性コア全体に対して約０〜３０質量％の割合で混合されていることが好ましい。ホットメルト接着剤９６には、各種公知のものを使用することができるが、体液の吸収後であって、吸収性ポリマー粒子が第１シート９１から剥離しないようにするために、疎水性を有する接着剤を使用することが好ましい。
【００３４】
吸液域９３では、第１シート９１と第２シート９２とが部分的に固定されているか又はそれらが互いに固定されていないことが好ましい。また、吸液域９３において第１及び第２シート９１，９２がホットメルト接着剤９６で互いに部分的に固定されている場合には、吸液層６０内に移行した体液が吸収ポリマー粒子９５に吸収されそれが膨潤することによって、両シート９１，９２の固定が解かれるようにしてもよい。一方、シール部９４では、すなわち、吸液域９３間の離間部位及び吸液層６０の外周縁沿い全域においては、ホットメルト接着剤９６を介して第１及び第２シート９１，９２が互いに接合されている。なお、吸液域９３においては、吸収性ポリマー粒子９５を第１シート９１の内面に固定するためにホットメルト接着剤９６は比較的に密に、ほぼ面状に塗布されており、シール部９４においては、比較的に疎に塗布されている。
【００３５】
このように、吸液層６０の吸収性コアは、吸収性ポリマー粒子９５とそれを被包するシート部材のみから形成されているので、吸収性コアが吸収性ポリマー粒子９５とフラッフパルプとの混合物から形成されている場合に比して薄く、シャーシ１４の動きに対する順応性に優れている。また、第１及び第２シート９１，９２がシール部９４において安定的に固定されていることによって所要の剥離強度を有するとともに、第１及び第２シート９１，９２の内面全体が固定されている場合に比して高い可撓性を有するものといえる。さらに、吸液域９３において吸収性ポリマー粒子９５が第１シート９１に一様に固定されていることから、着用者の動作及び姿勢のいかんにかかわらず、その分布に偏りを生じることはない。なお、シール部９４は、吸液域９３から移動可能な吸収性ポリマー粒子９５がこぼれ出るのを防止するために吸液域の周縁を封止するものであるが、製造工程において、吸収性ポリマー粒子９５の一部が、吸液域９３における吸収性ポリマー粒子９５の単位面積当たりの所要質量よりも少ない範囲において、シール部９４に配置されることがある。また、図示していないが、第１実施形態のように、身体側ライナ６１と吸液層６０との間に縦方向Ｙへ延びる複数条の弾性体６３が配置されていてもよい。
【００３６】
おむつ１０を構成する各構成部材には、本明細書に記載されている材料のほかに、この種の物品において通常用いられている各種の公知の材料を制限なく用いることができる、また、本発明の明細書及び特許請求の範囲において、「第１」、「第２」および「第３」の用語は、同様の要素、位置などを単に区別するために用いられている。
【００３７】
以上に記載した本発明に関する開示は、少なくとも下記事項に要約することができる。
【００３８】
縦方向及び横方向を有し、肌対向面及び非肌対向面と、前ウエスト域と、後ウエスト域と、前記前後ウエスト域間に位置するクロッチ域と、少なくとも前記クロッチ域において前記縦方向へ延びる、吸液構造体を有するシャーシと、前記後ウエスト域において前記シャーシの両側縁から前記横方向の外方に延びる弾性ベルト片とを含む開放型の使い捨ておむつにおいて、前記シャーシは、主体部と、前記クロッチ域において前記縦方向へ延びるレッグ弾性体が配設された、前記主体部の前記横方向の外方に位置する両側部と、前記両側部を内方へ折り曲げて形成された一対のサイド弾性部とを含み、前記前後ウエスト域のうちの少なくとも前記後ウエスト域において、前記サイド弾性部の内側縁どうしを連結する、前記弾性ベルト片と連続又は別体の連結パネルが位置し、前記サイド弾性部と前記連結パネルの外端部とが前記横方向へ延びる第１接合域を介して前記主体部に固定されており、前記連結パネルは前記縦方向に延びる第２接合域を介して前記サイド弾性部の前記内側縁の前記肌対向面に固定されており、前記連結パネルには、前記第１及び第２接合域よりも前記縦方向及び前記横方向において内側に位置する非接合域が画定されており、前記弾性ベルト片は前記縦方向へ延びる第３接合域を介して前記サイド弾性部の外側縁の前記肌対向面に固定され、前記サイド弾性部には、前記第２及び第３接合域間に位置し、かつ、前記第１接合域よりも前記縦方向の内側に位置するサイド非接合域が画定される。
【００３９】
上記段落００３８に開示した本発明は、少なくとも下記の実施の形態を含むことができる。
（１）前記弾性ベルト片は、前記横方向に弾性的に伸縮可能な第１弾性部を有し、前記連結パネルは、前記横方向に弾性的に伸縮可能な第２弾性部を有する。
（２）前記第１弾性部の単位面積当たりの伸長応力は、前記第２弾性部の単位面積当たりの伸長応力よりも高い。
（３）前記弾性ベルト片は、前記肌対向面側に位置する第１シートと、前記非肌対向面側に位置する第２シートと、前記第１及び第２シート間に介在され、前記横方向へ延びる複数条のストランド状又はストリング状の第１ウエスト弾性体とを有し、前記連結パネルは、内外面シートと、前記内外面シート間に介在され、前記横方向へ延びる複数条のストランド状又はストリング状の第２ウエスト弾性体とを有する。
（４）前記弾性ベルト片は、前記第１弾性部と、前記第１弾性部の前記横方向の外側に位置する非弾性のフラップ部とを有し、前記フラップ部の外端部の前記肌対向面には、前記前ウエスト域の外面に止着可能なファスニング要素が配置される。
（５）前記レッグ弾性体は、前記サイド弾性部の前記内側縁に沿って前記縦方向へ直状延びる複数条のストランド状又はストリング状の第１レッグ弾性体と、前記第１レッグ弾性体の前記横方向の外側に位置する第２レッグ弾性体とを有し、前記第２レッグ弾性体は、直状部と、前記クロッチ域の前記後ウエスト域側において後方に向かうにつれて次第に前記横方向の外側に延びる曲状部とを有する。
（６）前記クロッチ域において、前記サイド弾性部の一部が前記主体部に接合される。
（７）前記吸液構造体は、透液性の身体側ライナと吸液層とを有し、前記身体側ライナと前記吸液層との間には、少なくとも前記吸液層の中央部において前記縦方向へ延びる複数条の弾性体が配設される。
（８）前記吸液構造体は、透液性の身体側ライナと吸液層とを有し、前記吸液層は、透液性の上面シートと、不透液性の下面シートと、前記上下面シート間に介在された吸収性ポリマー粒子と、前記上面シートと前記下面シートとが互いに接合された非吸液域と、前記非吸液域に囲まれた、前記吸収性ポリマー粒子が被包された吸液域とを含む。
【符号の説明】
【００４０】
１０  開放型の使い捨ておむつ
１１  前ウエスト域
１２  後ウエスト域
１３  クロッチ域
１４  シャーシ
１５  吸液構造体
１６，１７  弾性ベルト片
２５  サイド弾性部
２５ａ  サイド弾性部の内側縁
２５ｂ  サイド弾性部の外側縁
２６  第１レッグ弾性体
２７  第２レッグ弾性体
２９  第２レッグ弾性体の直状部
３０  第２レッグ弾性体の曲状部
４０  第１弾性部
４２  第１シート
４３  第２シート
４４  第１ウエスト弾性体
４７  第１ファスニング要素（ファスニング要素）
５５  第２ウエスト弾性体
５６  第２弾性部
５９  シャーシの主体部
６０  吸液層
６１  身体側ライナ
６３  弾性体
９１  第１シート（上面シート）
９２  第２シート（下面シート）
９３  吸液域
９４  シール部
９５  吸収性ポリマー粒子
Ｘ  横方向
Ｙ  縦方向
【図１】
0006021447.tif 000002
【図２】
0006021447.tif 000003
【図３】
0006021447.tif 000004
【図４】
0006021447.tif 000005
【図５】
0006021447.tif 000006
【図６】
0006021447.tif 000007
【図７】
0006021447.tif 000008
【図８】
0006021447.tif 000009
【図９】
0006021447.tif 000010
【図１０】
0006021447.tif 000011
【図１１】
0006021447.tif 000012